(57)【特許請求の範囲】
【請求項１】
火葬の対象物に固定されて前記対象物を装飾する、易燃性材料又は可燃性材料により形成されるとともに、遺体にかかる人又は愛玩動物に関する、定型性を有さない部品を含む物品を模した形状を有する副葬用装飾品であって、
載置された状態の前記対象物の目視可能な部分を装飾する装飾面を有する装飾本体部と、
前記装飾本体部を、前記対象物の載置面に略直交する向きからの装着により前記対象物に固定する固定部とを備え、
前記装飾本体部及び前記固定部の少なくともいずれか一方は、前記物品の定型性を有さない部品に対応する部分が定型性を有しており、
少なくとも前記装飾本体部に、載置された状態の前記対象物の前記目視可能な部分の外形に対応した形状を保持して接触する接触面が形成されている、
副葬用装飾品。
【請求項２】
前記装飾本体部は、
少なくとも前記固定部が、
載置された状態の前記対象物の前記目視可能な部分に係合、係止、嵌合若しくは嵌着する、
又は前記対象物の前記目視可能な部分を挟持する
ことにより、前記対象物に固定されている、
請求項１に記載の副葬用装飾品。
【請求項３】
前記装飾本体部は、
少なくとも前記固定部が、載置された状態の前記対象物の前記部分に接着又は粘着することにより、前記対象物に固定されている、
請求項１又は２に記載の副葬用装飾品。
【請求項４】
前記装飾本体部及び前記固定部の少なくともいずれか一方は、装着時に環状の形状を有する装飾品の、前記環状の形状の一部を模した弧状の外形を有する、
請求項１から３のいずれかに記載の副葬用装飾品。
【請求項５】
前記対象物は人の遺体であって、
前記遺体にかかる前記人が生前に着用を希望した身飾品を模した形状を有する、
請求項１から４のいずれかに記載の副葬用装飾品。
【発明の詳細な説明】
【技術分野】
【０００１】
本発明は、人間や愛玩動物等の火葬の際に当該火葬前の遺体、遺骸を装飾するのに用いられる副葬用装飾品に関する。
【背景技術】
【０００２】
亡くなった人の葬儀は我が国の国内法においては火葬で行う事が定められており、その際、故人の遺体と共に納棺され、火葬される副葬品が存在する。副葬品の例としては、眼鏡、ゴルフクラブ等の故人の愛用品、ゆかりの物品等が挙げられる。
【０００３】
一方、近年では焼却にともなうダイオキシン等の有害ガスの発生が環境に与える影響や、焼却炉への負担を軽減する目的から、副葬品の種別は制限されており、例えば金属、ガラスを材料として含む物品を副葬品として遺体とともに納棺することは禁じられるようになってきている。
【０００４】
このような事情に鑑みて、例えば特許文献１においては、可燃性材料としての生分解性熱可塑樹脂により眼鏡やゴルフクラブといった故人の愛用品を模した代用品を、副葬品として作成する技術が開示されている。かかる特許文献１の技術によれば、焼却されても有害ガスの発生も無く、また、遺体に損傷を与えることもなく、遺族にとっても、安心して故人を送る事が出来るとされている。
【先行技術文献】
【特許文献】
【０００５】
【特許文献１】特開２０００−１１６７３４号公報
【発明の概要】
【発明が解決しようとする課題】
【０００６】
しかしながら、上記特許文献１のような従来の副葬品においては、以下のような課題があった。すなわち、近年、生活スタイルの多様化に伴い、葬儀においても、遺族又は故人の遺志に基づく演出が重要視されるようになり、遺体に一般的な白装束を着用させることのみならず、故人の愛用着等を着用させることも一般化してきている。とりわけ女性の場合は、生前から衣類の他にネックレスや指輪等の身飾品を常用することは珍しくなく、死後においても遺体をそのような身飾品によって装飾したいという要請があることを、本発明者は見いだした。
【０００７】
これに対し、上記従来の技術における副葬品は、単に遺体に隣接して納棺される物品に止まり、故人の遺志又は遺族の意思を反映して遺体を装飾するには充分とは言えなかった。
【０００８】
本発明は、上記の課題に鑑みてなされたものであり、火葬前の遺体を容易且つ美麗に装飾することが可能な副葬用装飾品を提供することを目的とする。
【課題を解決するための手段】
【０００９】
上記の目的を達成するために、本発明の第１の側面は、火葬の対象物に固定されて前記対象物を装飾する、易燃性材料又は可燃性材料により形成されるとともに、遺体にかかる人又は愛玩動物に関する、定型性を有さない部品を含む物品を模した形状を有する副葬用装飾品であって、載置された状態の前記対象物の目視可能な部分を装飾する装飾面を有する装飾本体部と、前記装飾本体部を、前記対象物の載置面に略直交する向きからの装着により前記対象物に固定する固定部とを備え、前記装飾本体部及び前記固定部の少なくともいずれか一方は、前記物品の定型性を有さない部品に対応する部分が定型性を有しており、少なくとも前記装飾本体部に、載置された状態の前記対象物の前記目視可能な部分の外形に対応した形状を保持して接触する接触面が形成されている、副葬用装飾品である。
【００１１】
本発明の第２の側面は、前記装飾本体部は、少なくとも前記固定部が、載置された状態の前記対象物の前記目視可能な部分に係合、係止、嵌合若しくは嵌着する、又は前記対象物の前記目視可能な部分を挟持することにより、前記対象物に固定されている、本発明の第１の側面の副葬用装飾品である。
【００１２】
本発明の第３の側面は、前記装飾本体部は、少なくとも前記固定部が、載置された状態の前記対象物の前記部分に接着又は粘着することにより、前記対象物に固定されている、本発明の第１又は第２の側面の副葬用装飾品である。
【００１３】
本発明の第４の側面は、前記装飾本体部及び前記固定部の少なくともいずれか一方は、装着時に環状の形状を有する装飾品の、前記環状の形状の一部を模した弧状の外形を有する、本発明の第１から第３のいずれかの側面の副葬用装飾品である。
【００１５】
本発明の第５の側面は、前記対象物は人の遺体であって、前記遺体にかかる前記人が生前に着用を希望した身飾品を模した形状を有する、本発明の第１から第４のいずれかの側面の副葬用装飾品である。
【発明の効果】
【００１６】
以上のような本発明は、火葬前の遺体を容易且つ美麗に装飾することが可能になるという効果を奏する。
【図面の簡単な説明】
【００１７】
【図１】本発明の実施の形態に係る副葬用装飾品の構成を示す正面図
【図２】本発明の実施の形態に係る副葬用装飾品の構成を示す底面図
【図３】本発明の実施の形態に係る副葬用装飾品の構成を示す側面図
【図４】（ａ）図１のＡ−Ａ断面図（ｂ）図１のＢ−Ｂ断面図
【図５】本発明の実施の形態に係る副葬用装飾品による遺体の装飾状態を示す正面図
【図６】本発明の実施の形態に係る副葬用装飾品による遺体の装飾状態を示す背面図
【図７】本発明の実施の形態に係る副葬用装飾品による遺体の装飾状態を説明するための模式的平面図
【図８】本発明の実施の形態に係る副葬用装飾品による遺体の装飾状態を説明するための模式的側面図
【図９】本発明の他の実施の形態に係る副葬用装飾品の構成を示す正面図
【図１０】（ａ）本発明の他の実施の形態に係る副葬用装飾品の要部の構成を示す側面図（ｂ）本発明の他の実施の形態に係る副葬用装飾品の要部の構成を示す背面図
【図１１】本発明の他の実施の形態に係る副葬用装飾品による遺体の装飾状態を示す底面図
【図１２】本発明の他の実施の形態に係る副葬用装飾品の装飾状態を示す斜視図
【図１３】（ａ）本発明の他の実施の形態に係る副葬用装飾品の構成例を示す図（ｂ）本発明の他の実施の形態に係る副葬用装飾品の構成例を示す図
【発明を実施するための形態】
【００１８】
以下、本発明の実施の形態について、図面を参照しながら説明する。
【００１９】
図１は、本発明の実施の形態に係る、ペンダントを模した副葬用装飾品の構成を示す正面図であり、図２は正面図であり、図３は側面図である。なお、各図を定義する方向は図中に示すＸ軸、Ｙ軸、Ｚ軸に基づき、図２は図１のＹ軸方向に沿った方向から見た図であり、図３は図１のＸ軸方向に沿った方向からみた図である。また、Ｘ−Ｙ平面は、副葬用装飾品により装飾される、後述する遺体の正面及び背面に対応し、Ｘ−Ｚ平面は、遺体の上面（平面）に対応し、Ｙ−Ｚ平面は、遺体の側面に対応する。
【００２０】
図１〜３に示すように、副葬用装飾品１は、ビジュー部１０と、ビジュー部１０の両端にそれぞれ設けられた固定部２０とを主要な構成として備える。
【００２１】
ビジュー部１０は、ペンダントのペンダントトップ部分を模して作成された部材であって、図２及び３に示すように、外部に露出する装飾面１１と、装飾面１１の裏面であって遺体に接触する接触面１２とを備える。
【００２２】
更に、ビジュー部１０は、図４（ａ）の、図１のＡ−Ａ断面図及び図４（ｂ）の、図１のＢ−Ｂ断面図に示すように、装飾面１１及び接触面１２が、インジェクション成形又は削りだし等の周知の技術的手段により一体成形されてなる基材の表面の起伏として形成される。装飾面１１は、ペンダントトップにおける宝飾品の本体部分である宝石等に対応した色彩で着色され、通常のペンダントトップと類似した外観を有する。ただし、ビジュー部１０は装飾面１１及び／又は接触面１２を複数の部品を組み合わせることにより形成される構成としてもよい。
【００２３】
固定部２０は、副葬用装飾品１の模造元であるペンダントのチェーン部分の、着用時に形成される外形Ｌ１の一部を切り出した外形を模して作成された部材であって、遺体の胸部にビジュー部１０を位置決め固定させる手段である。固定部２０は可撓性を有さない紐状の外形を有し、これにより定型性を保持した状態で遺体上の所定位置に固定される。
【００２４】
更に、固定部２０は、図２及び３に示すように、ビジュー部１０からＸ−Ｙ平面、Ｘ−Ｚ平面及びＹ−Ｚ平面内をそれぞれ湾曲した固定本体部２１と、固定本体部２１から屈曲して互いにＺ軸に平行に延出する係止端部２２とを備える。固定部２０も、ビジュー部１０の装飾面１１と同様、通常のペンダントチェーンの材質に対応した色彩で着色され、これと類似した外観を有する。更に、固定部２０は図中には紐状の外形を有するものとして示したが、革紐、チェーン、ワイヤー等の任意の外形及びディテールを模したものとすることができる。
【００２５】
なお、ビジュー部１０及び固定部２０はいずれも易燃性材料又は可燃性材料により作成され、具体例としては、木材、布、糸、蝋、粘土、ＭＡＰＫＡ（登録商標）、ラクティ（登録商標）等の生分解性樹脂その他、有色又は無色透明の材料を用いることができる。また、装飾面１１の彩色においては、水彩絵具、アクリル絵具等の環境負荷が小さい材料を用いることが好ましい。要するに、副葬用装飾品１は、火葬場にて副葬品として納棺することができる物品に用いられる易燃性材料又は可燃性材料であれば、形成の具体的な手法にかかわらず、任意の材料を用いて形成することができる。
【００２６】
以上の構成において、副葬用装飾品１は本発明の副葬用装飾品１に相当し、ビジュー部１０は本発明の装飾本体部に相当し、固定部２０は、本発明の固定部に相当する。
【００２７】
このような構成を有する本実施の形態の副葬用装飾品１は、ビジュー部１０及び固定部２０が、遺体の表面形状に対応するとともに当該遺体に表面から容易に装着させて固定することが可能な形状を備えたことを特徴とする。
【００２８】
以下、図５及び図６を更に参照して、更に説明を行う。ただし、図５は、図１に対応して図中Ｘ−Ｙ平面に平行をなす棺内又は寝台等の載置面に載置された遺体に装着された副葬用装飾品１を示す正面図であり、図６は載置面を透視して示した背面図である。
【００２９】
図５に示すように、載置面上に仰向けに載置された遺体３０は、通常白装束等の衣類（図示省略）を着用していることにより肩部３３の一部、胴部３４及び胸部３５並びに背部３６が覆われ、外部からは目視不可能な状態に置かれる。一方、副葬用装飾品１は、図中直線Ｘにより衣類と区画され外部に露出して目視可能な領域である、頸部３２、及び肩部３３の一部を含む露出領域３０ｘ内にて遺体表面に固定される。
【００３０】
このとき、副葬用装飾品１の固定部２０は、露出領域３０ｘの前面において固定本体部２１のみが目視可能な状態となり、一対の係止端部２２は遺体３０の肩部３３上にてＺ軸方向、すなわち図中Ｘ−Ｙ平面に直行する向きに一致して、図６に示すように、遺体３０の背面において、遺体３０の頸部３２を挟んで先端が載置面に正対するように配置される。
【００３１】
換言すれば、固定部２０における固定本体部２１の湾曲の態様は、遺体３０の前面において衣類から露出した体表部分の形状に対応している。また、係止端部２２の屈曲の態様は、遺体３０の前面と背面とを結ぶ、載置面の垂線に対応している。
【００３２】
更に、固定部２０における固定本体部２１と係止端部２２との境界は、遺体３０の、頸部３２を間に挟んだ一対の肩部３３上を通過する、図１中の基準線Ｓ１に基づくよう定められる。
【００３３】
更に、ビジュー部１０の、遺体３０の体表に正対する接触面１２も固定本体部２１と同様、体表部分に対応した形状を有し、胸部３５の間に面接触する。
【００３４】
以上のような構成を有することにより、副葬用装飾品１は、ビジュー部１０及び固定部２０が一体として遺体３０の体表部分に形状良く追従した状態で配置されるとともに、固定部２０の係止端部２２が遺体３０の肩部３３に係止されることにより遺体３０に固定される。これにより、遺体３０の移動や棺搬送等に際しても位置ずれを生ずることなく、通常のペンダントが人体を装飾するのと同様にして遺体３０を美麗に装飾することが可能となっている。
【００３５】
更に、本実施の形態の副葬用装飾品１は、遺体３０への装着、固定を容易に行うことができることを特徴とする。すなわち、図１に示すように、固定部２０の平面形状は副葬用装飾品１の模造元であるペンダントチェーンの外形Ｌ１の一部を切り出すことにより定められるととともに、図２に示すように、遺体３０の前後方向に沿って平行に延出する一対の係止端部２２を備えたことにより、遺体３０の前面に対して開放された弧状の外形を有する。
【００３６】
これにより、副葬用装飾品１の遺体３０への装着は、図７の平面図及び図８の側面図にそれぞれ模式的に示すように、一対の係止端部２２を遺体３０の頸部３２を挟むように配置して、図中矢印Ｄに示すように遺体３０の前後方向に沿って挿入させることのみにより行われる。
【００３７】
すなわち、通常のペンダントの着用は、可撓性を有するペンダントチェーンをプレートと引き輪との組合せにより首の後ろ側（背面）にて脱着自在に結合することによるところ、遺体３０に対してペンダントを着用させるためには、とりわけ既に棺内に載置された遺体３０を対象とする場合は、遺体３０の前面から背面に手をまわして操作を行う、チェーンを頸部３２の周囲に引き回す、等の作業が必要となる。
【００３８】
しかしながら、当該作業は遺体３０の頭部３１、頸部３２等を移動させる操作を伴うものであって、遺体の損傷、汚損等を招く恐れが大きく、実際には実行不可能な作業と言える。
【００３９】
これに対し、本実施の形態の副葬用装飾品１は、載置面Ｓ２に載置した状態の遺体３０に対し、頭部３１その他の各部を一切動かすことなく装着させることができ、損傷、汚損等の恐れを生じさせることなく容易に遺体３０を装飾することが可能となる。
【００４０】
更に、副葬用装飾品１は、衣類を着用させた後の遺体３０における露出領域３０ｘ内を固定箇所としているため、衣類の着用時期の前後を問わず装着させることができる。したがって、通夜時や出棺前等の任意のタイミングで遺体３０を装飾することが可能となり、特に、故人に希望がない場合等における、遺族の自発的意思を反映させた演出を補助することができる。
【００４１】
なお、図２に示す、固定部２０における一対の係止端部２２の間隔Ｗは、故人の生前の肩部３３の寸法より大きく又は小さくとることが好ましい。これは、遺体３０が長期間の載置状態にあって身体が死後硬直、弛緩等の原因により図中Ｘ方向に沿って変形している状態にあることに鑑みて、頸部３２や肩部３３との干渉を防ぎ、装着をより容易せしめる効果を奏する。
【００４２】
また、上記の説明においては、副葬用装飾品１は、可撓性を有さない紐状の外形を有する固定部２０を備えた構成としたが、本発明は、可撓性を有する部材を用いて遺体３０に固定される構成を有するものとしてもよい。
【００４３】
図９に示す本実施の形態の副葬用装飾品２は、副葬用装飾品１と同一のビジュー部１０及び一対の模擬チェーン２３を備える。模擬チェーン２３は、本発明の固定部に相当し、固定部２０同様、可燃性材料により作成され、副葬用装飾品１の模造元であるペンダントのチェーン部分の、着用時に形成される外形Ｌ１の一部を切り出した外形を模して作成された鎖状の部材である。模擬チェーン２３は、端部が遺体３０の、頸部３２を間に挟んだ一対の肩部３３上を通過する基準線Ｓ１を僅かに越える程度の全長を有し、当該端部には装着部２４が設けられる。
【００４４】
装着部２４は、ビジュー部１０と同様の可燃性材料により作成され、図１０（ａ）及び（ｂ）に示すように、粘着剤が塗布された平面である粘着面２４ａを有する。
【００４５】
このような構成を備えた副葬用装飾品２は、図１１の背面図に示すように、遺体３０の背面側の露出領域３０ｙにおいて肩部３３に装着部２４の粘着面２４ａを貼り付けることにより、遺体３０に固定される。模擬チェーン２３は通常のペンダントのチェーン部分と同様、自在に変形することにより遺体３０の体表の形状に追従して美感が整えられる。さらに、装着部２４の粘着面２４ａの貼り付け固定により、副葬用装飾品２は位置ずれすることなく遺体３０に固定される。なお、ビジュー部１０の接触面１２にも粘着材を設けて、ビジュー部１０も遺体３０に貼り付け固定するようにしてもよく、更に位置ずれを起こしにくく、遺体３０を美麗に装飾できる。
【００４６】
更に、模擬チェーン２３による固定は、遺体３０において外部から目視可能な露出領域３０ｘ及び３０ｙ上において、肩部３３越しの操作により行うことができ、頸部３２と干渉することなく、遺体の損傷、汚損等を防いで安全且つ簡易に行うことができる。
【００４７】
以上のように、本発明の実施の形態に係る副葬用装飾品１又は２によれば、ビジュー部１０及び固定部２０又は模擬チェーン２３が、当該遺体に表面から容易に装着させて固定することが可能な形状を備えたことにより、火葬前の遺体を容易且つ美麗に装飾することが可能となるという効果を奏する。ひいては、故人の遺志又は遺族の意思を反映して遺体を容易且つ美麗に装飾することを通して葬儀の演出効果を高めることができ、いわゆる「終活」への意識を高めることが可能となる。
【００４８】
しかしながら、本発明は上記の実施の形態により限定されるものではない。
【００４９】
上記の説明においては、副葬用装飾品１及び２は、いずれもペンダントを模した形態を有するものとしたが、本発明の副葬用装飾品は、固定されることにより遺体を装飾するものであれば、任意の身飾品、装飾品を模した形態を有するものであってよい。
【００５０】
以下、本発明の他の実施の形態として、図１２に、遺体３０の手の指３７に装着、固定された、指輪を模した副葬用装飾品３と、手首３８に装着、固定された、腕時計を模した副葬用装飾品４とを示す。
【００５１】
副葬用装飾品３は、図１３（ａ）の、指３７の延伸方向に直交する断面図に示すように、指輪の石座を模した形状の石座部３００と、石座部３００が接合されるとともに指３７に装着、固定される、指輪のアームを模したアーム部３０１とを備える。ただし、アーム部３０１は、通常の指輪のアームの輪郭の一部形状のみを模した弧状の外形を有し、石座部３００を直接固定するアーム本体３０１ａと、アーム本体３０１ａの端部であって、指３７の長径に対応する基準線Ｓ３より下方に延出する嵌合端３０１ｂとを備える。
【００５２】
かかる副葬用装飾品３においては、石座部３００の表面が、副葬用装飾品１のビジュー部１０と同様、通常の指輪の石座同様の形状、彩色を施された装飾面３０２を形成するとともに、アーム部３０１の内周面３０３が、接触面１２と同様の接触面として構成される。これにより、図中矢印Ｄ方向に沿った、指３７の表面側からの挿入操作により、遺体３０の各部を一切動かすことなくアーム部３０１を容易に装着、固定させて、遺体３０を美麗に装飾することが可能となる。なお、石座部３００は本発明の装飾本体部に相当し、アーム部３０１は本発明の固定部に相当する。
【００５３】
また、副葬用装飾品４は、図１３（ｂ）の、手首３８の延伸方向に直交する断面図に示すように、腕時計のケースを模した形状のケース部４００と、ケース部４００に接合されるとともに手首３８に装着、固定される、腕時計のバンドを模したバンド部４０１とを備える。ただし、バンド部４０１は、通常の時計のバンドの輪郭の一部形状のみを模した弧状の外形を有し、ケース部４００に固定されるバンド本体４０１ａと、バンド本体４０１ａの端部であって、手首３８の長径に対応する基準線Ｓ４より下方に延出する嵌合端４０１ｂとを備える。
【００５４】
かかる副葬用装飾品４も、副葬用装飾品４と同様、ケース部４００の表面が、通常の時計の文字盤、ベゼル等の装飾に対応した形状、彩色を施された装飾面４０２を形成するとともに、ケース部４００の裏面４０３及びバンド部４０１の内周側が、接触面１２と同様の接触面として構成される。これにより、図中矢印Ｄ方向に沿った、手首３８の表面側からの挿入操作により、遺体３０の各部を一切動かすことなく容易に装着、固定させて、遺体３０を美麗に装飾することが可能となる。なお、ケース部４００は本発明の装飾本体部に相当し、バンド部４０１は本発明の固定部に相当する。
【００５５】
なお、副葬用装飾品３及び４におけるアーム部３０１の嵌合端３０１ｂ及びバンド部４０１の嵌合端４０１ｂは、遺体３０の、生前の形状からの変形に追従して、指３７又は手首３８にアーム部３０１又はバンド部４０１を嵌合させて位置ずれを防ぐものであるが、省略してアーム本体３０１ａ及びバンド本体４０１ａのみからなる構成としてもよい。また、アーム部３０１の内周面３０３、ケース部４００の裏面４０３、バンド部４０１の内周側が、遺体３０の表面に粘着することにより固定される構成としてもよい。
【００５６】
更に、本発明の副葬用装飾品としては、このほか、ネックレス、イヤリング、ピアス、ブレスレット、アンクレット、ブローチ、ティアラ等のヘアアクセサリーその他身飾品に適用することができる。さらに、眼鏡、サングラス、かつら、ウィッグ等、更にはウェストバッグ等の身体に固定して用いられる任意の物品に適用するようにしてもよい。
【００５７】
なお、これらの身飾品等において本発明を実施する場合、副葬用装飾品１〜４のように、本発明の装飾本体部と固定部とが分離した構成であってもよいし、ネックレスやブローチ等の場合のように、装飾本体部と固定部とが一体化して看取される態様として、遺体に固定される構成であるとしてもよい。また、上記の説明においては、本発明の装飾本体部としてのビジュー部１０は遺体３０の表面に接触面１２を介して接触するものとしたが、固定部により固定されていれば、装飾本体部は遺体の表面から離隔して配置されるものであってもよい。
【００５８】
要するに、本発明の副葬用装飾品は、遺体に固定されることによりこれを装飾する機能を有するものであれば、装飾の模倣対象物となる物品の具体的な構成や目的に限定されるものではない。また、遺体３０に係る故人が生前愛用していた身飾品を模したものとしてもよいし、遺体３０に係る故人に縁のある者の希望による身飾品を模したものとしてもよい。
【００５９】
更には、遺体３０に係る故人が、葬儀において参列者に見られることを考慮する等の事情に基づき、生前は使用していないが死後においてのみ使用することを意識した身飾品を模したものとしてもよい。これにより、特に「終活」に特化したアクセサリーとして本発明を用いることができ、ひいては、そのような意識を醸成することで死への恐怖を軽減させる効果を奏する。
【００６０】
また、上記の説明においては、副葬用装飾品１は、固定部２０の肩部３３への挿入により係止端部２２が肩部３３に係止されることで遺体３０に固定されるものとしたが、本発明は、対象物としての遺体に固定されていればよく、固定部の構成は係止のほか、遺体の体表に係合する突起、鈎等として実現するものであってもよい。これは特に副葬用装飾品をヘアアクセサリーとして実現した場合の、遺体３０の頭部３１における装着、固定に好適である。更に、本発明の固定部は、遺体を挟持することにより固定する構成としてもよく、例えば副葬用装飾品１において係止端部２２又は固定本体部２１が頸部３２を挟持する構成であるとしてもよい。
【００６１】
また、上記の説明においては、固定部２０は、副葬用装飾品の模造対象物としてのペンダント等の身飾品の一部形状のみを模した弧状の外形を有するものとしたが、本発明の固定部は、遺体の体表に嵌合又は嵌着することにより固定する構成であってもよい。したがって、身飾品や装飾品の全部の形状を模した環状の外形を有するようにしてもよい。
【００６２】
更に、固定部２０は、図９の副葬用装飾品２の装着部２４同様、粘着することにより遺体３０に固定される構成としてもよい。また、粘着剤による粘着の他、接着剤による接着にて固定する構成としてもよい。
【００６３】
更に、上記の説明においては、副葬用装飾品１等は、遺体３０の、衣類にて覆われていない体表に固定されるものとして説明を行ったが、本発明の火葬の対象物は、副葬用装飾品が固定出来ればよく、当該対象物の表面状態によって限定されるものではない。したがって、本発明の副葬用装飾品は、遺体が着用する衣類の上から当該遺体に固定される構成であるとしてもよい。ただし、載置された遺体において目視可能な部分を対象とすることは、遺体の損傷や汚損等の恐れを低減することができ、より好適である。
【００６４】
更に、上記の説明においては、遺体３０として、人体を例に説明を行ったが、本発明は火葬の対象物に固定されてこれを装飾するものであればよい。したがって、本発明の対象物は、人間の他、犬、猫等の愛玩動物が含まれるようにしてもよく、特に所謂ペットロスの負担を低減する効果を奏する。
【００６５】
要するに、本発明は、その要旨を逸脱しない範囲内であれば、以上説明したものを含め、上記実施の形態に種々の変更を加えたものとして実施してもよい。
【産業上の利用可能性】
【００６６】
以上のような本発明は、火葬前の遺体を容易且つ美麗に装飾することが可能になるというという効果を奏し、例えば終活といった生前の葬儀等の備えにおいて有用である。
【符号の説明】
【００６７】
１、２、３、４  副葬用装飾品
１０  ビジュー部
１１、３０２、４０２  装飾面
１２  接触面
２０  固定部
２１  固定本体部
２２  係止端部
２３  模擬チェーン
２４  装着部
２４ａ  粘着面
３０  遺体
３０ｘ、３０ｙ  露出領域
３１  頭部
３２  頸部
３３  肩部
３４  胴部
３５  胸部
３６  背部
３７  指
３８  手首
３００  石座部
３０１  アーム部
３０１ａ  アーム本体
３０１ｂ、４０１ｂ  嵌合端
３０３  内周面
４００  ケース部
４０１  バンド部
４０１ａ  バンド本体
４０３  裏面
【要約】      （修正有）【課題】火葬前の遺体を容易且つ美麗に装飾することを可能とする、副葬用装飾品を提供する。【解決手段】火葬の対象物である遺体３０に固定されて遺体を装飾する、易燃性材料又は可燃性材料により作成されてなる副葬用装飾品１。載置された状態の対象物の目視可能な部分を装飾する装飾面を有する装飾本体部と、装飾本体部を対象物に固定する固定本体部２１とを備え、装飾本体部は、載置された状態の対象物の、目視可能な部分にて対象物に固定されている、副葬用装飾品。【選択図】図５【図１】
0005970733.tif 000002
【図２】
0005970733.tif 000003
【図３】
0005970733.tif 000004
【図４】
0005970733.tif 000005
【図５】
0005970733.tif 000006
【図６】
0005970733.tif 000007
【図７】
0005970733.tif 000008
【図８】
0005970733.tif 000009
【図９】
0005970733.tif 000010
【図１０】
0005970733.tif 000011
【図１１】
0005970733.tif 000012
【図１２】
0005970733.tif 000013
【図１３】
0005970733.tif 000014